(57)【要約】【課題】本発明は、再利用の可能性のある文字データを入力し、すぐに発行させたい場合に、発行と登録とを一回の操作で行うことができ、作業効率を向上させることができる入力装置を提供することを課題とする。【解決手段】文字データを記憶するデータ記憶部を備え、ＣＰＵは、文字データの入力後に、入力された文字データを含む印字データを生成して印字装置に送信する「発行処理」、入力された文字データをデータ記憶部に記憶させる「登録処理」、「発行処理」と「登録処理」とを並行もしくは連続して行う「発行登録処理」のいずれかの実行を指示する実行指示入力を受け付け、受け付けた実行指示入力に基づいて、「発行処理」、「登録処理」もしくは「発行登録処理」のいずれかを実行する。【選択図】        図５
2009238026.tif 000002
【特許請求の範囲】
【請求項１】
印字フォーマットに設定されている印字項目に対応する文字データの入力を受け付け、入力された前記文字データを含む印字データを生成し、当該印字データを印字装置に送信することで、前記印字データに含まれる前記文字データが印字された被印字媒体を前記印字装置によって発行させる入力装置であって、
前記文字データを記憶するデータ記憶手段と、
前記文字データの入力後に、入力された前記文字データを含む印字データを生成して前記印字装置に送信する発行処理、入力された前記文字データを前記データ記憶手段に記憶させる登録処理、前記発行処理と前記登録処理とを並行もしくは連続して行う発行登録処理のいずれかの実行を指示する実行指示入力を受け付ける入力手段と、
該入力手段によって受け付けた前記実行指示入力に基づいて、前記発行処理、前記登録処理もしくは前記発行登録処理のいずれかの実行する発行登録制御手段とを具備することを特徴とする入力装置。
【請求項２】
前記発行登録制御手段は、前記発行登録処理として、印字枚数を１枚とした前記印字データを生成して前記印字装置に送信する試し発行処理を実行した後に、正しい内容で発行されたか否か選択する選択入力を受け付け、正しい内容で発行されたことを示す前記選択入力を受け付けた場合に、印字枚数を残り枚数とした前記印字データを生成して前記印字装置に送信する残発行処理と、前記登録処理とを並行もしくは連続して実行することを特徴とする請求項１記載の入力装置。
【発明の詳細な説明】
【技術分野】
【０００１】
本発明は、印字フォーマットに設定されている印字項目に対応する文字データの入力を受け付け、入力された文字データを含む印字データを生成する入力装置に関し、特に入力された文字データを記憶するデータ記憶手段を備えた入力装置に関する。
【背景技術】
【０００２】
従来から、文字データを含む印字データを生成し、生成した印字データを、ラベルやタグ等の被印字媒体に印字を行うサーマルプリンタ、熱転写プリンタ等の印字装置に送信することで、印字装置から印字データに含まれる文字データが印字された被印字媒体を発行させるパーソナルコンピュータ等の入力装置が用いられている（例えば、特許文献１参照）。
【０００３】
しかしながら、従来技術では、入力する文字データをデータ記憶手段に登録する登録モードと、入力する文字データを含む印字データを生成して印字装置に送信する発行モードとのいずれかを選択し、選択した登録モードもしくは発行モードで印字フォーマットに設定されている印字項目に対応する文字データの入力を行うように構成されており、発行モードで入力された文字データを再利用することができないため、再利用の可能性のある文字データを入力し、すぐに発行させたい場合であっても、一旦登録モードで文字データを入力した後に発行モードに切り換えて発行させるか、発行モードで文字データを入力して発行させた後に、登録モードに切り換えて文字データを再度入力しなければならず、作業効率が低下してしまうという問題点があった。
【０００４】
【特許文献１】特開２０００−１４１８２９号公報
【発明の開示】
【発明が解決しようとする課題】
【０００５】
本発明は斯かる問題点に鑑みてなされたものであり、その目的とするところは、再利用の可能性のある文字データを入力し、すぐに発行させたい場合に、発行と登録とを一回の操作で行うことができ、作業効率を向上させることができる入力装置を提供する点にある。
【課題を解決するための手段】
【０００６】
本発明は上記課題を解決すべく、以下に掲げる構成とした。
請求項１記載の発明の要旨は、印字フォーマットに設定されている印字項目に対応する文字データの入力を受け付け、入力された前記文字データを含む印字データを生成し、当該印字データを印字装置に送信することで、前記印字データに含まれる前記文字データが印字された被印字媒体を前記印字装置によって発行させる入力装置であって、前記文字データを記憶するデータ記憶手段と、前記文字データの入力後に、入力された前記文字データを含む印字データを生成して前記印字装置に送信する発行処理、入力された前記文字データを前記データ記憶手段に記憶させる登録処理、前記発行処理と前記登録処理とを並行もしくは連続して行う発行登録処理のいずれかの実行を指示する実行指示入力を受け付ける入力手段と、該入力手段によって受け付けた前記実行指示入力に基づいて、前記発行処理、前記登録処理もしくは前記発行登録処理のいずれかの実行する発行登録制御手段とを具備することを特徴とする入力装置に存する。
また請求項２記載の発明の要旨は、前記発行登録制御手段は、前記発行登録処理として、印字枚数を１枚とした前記印字データを生成して前記印字装置に送信する試し発行処理を実行した後に、正しい内容で発行されたか否か選択する選択入力を受け付け、正しい内容で発行されたことを示す前記選択入力を受け付けた場合に、印字枚数を残り枚数とした前記印字データを生成して前記印字装置に送信する残発行処理と、前記登録処理とを並行もしくは連続して実行することを特徴とする請求項１記載の入力装置に存する。
【発明の効果】
【０００７】
本発明の入力装置は、文字データを記憶するデータ記憶手段を備え、文字データの入力後に、入力された文字データを含む印字データを生成して印字装置に送信する発行処理、入力された文字データをデータ記憶手段に記憶させる登録処理、発行処理と登録処理とを並行もしくは連続して行う発行登録処理のいずれかの実行を指示する実行指示入力を受け付け、受け付けた実行指示入力に基づいて、発行処理、登録処理もしくは発行登録処理のいずれかを実行するように構成することにより、再利用の可能性のある文字データを入力し、すぐに発行させたい場合には、発行登録処理の実行を指示することにより、発行処理と登録処理とが並行もしくは連続して実行されるため、発行と登録とを一回の操作で行うことができ、作業効率を向上させることができるという効果を奏する。
【０００８】
さらに、本発明の入力装置は、発行登録処理として、印字枚数を１枚とした印字データを生成して印字装置に送信する試し発行処理を実行した後に、正しい内容で発行されたか否か選択する選択入力を受け付け、正しい内容で発行されたことを示す選択入力を受け付けた場合に、印字枚数を残り枚数とした印字データを生成して印字装置に送信する残発行処理と、登録処理とを並行もしくは連続して実行するように構成することにより、誤った文字データに基づく発行を最小限に抑えることができると共に、発行された被印字媒体を確認して上で、登録処理を行うことができるため、誤った文字データが登録されることを防止することができるという効果を奏する。
【発明を実施するための最良の形態】
【０００９】
以下、本発明の実施の形態を図面に基づいて詳細に説明する。
【００１０】
（第１の実施の形態）
図１は、本発明に係る入力装置の第１の実施の形態の構成を示す斜視図であり、図２は、図１に示す入力装置の構成を示すブロック図であり、図３は、図１に示す被印字媒体例および印字フォーマット例を示す説明図であり、図４は、図１に示す印字装置の構成を示すブロック図である。
【００１１】
第１の実施の形態の入力装置１は、図１に示すように、ラベル等の被印字媒体２を発行するラベルプリンタ等の印字装置３に接続して用いられ、図２を参照すると、所定の制御プログラムが記憶されているＲＯＭ（read only memory）１１と、ＲＯＭ１１に記憶されている制御プログラムに従って動作し、各部を制御するＣＰＵ１２（central processing unit）と、ＣＰＵ１２が動作する上で必要となる各種データを記憶するＲＡＭ（random access memory）１３と、入力部１４と、表示部１５と、データ記憶部１６と、外部Ｉ／Ｆ１７とを備え、入力部１４からの入力によって印字データを生成し、生成した印字データを印字装置３に送信する機能を有する。なお、被印字媒体２としては、ラベル、帳票等の様々な形態に対応することができるが、第１の実施の形態では、図３（ａ）に示すように、台紙４１に仮着されたラベル４２を用いる例について説明する。また、印字データは、被印字媒体２に印字する印字項目および当該印字項目の印字位置が設定されている印字フォーマットと、印字項目に対応して入力された文字データと、印字枚数とからなるデータであり、第１の実施の形態では、図３（ｂ）に示すように、印字項目として商品名入力欄５１と、価格入力欄５２とが設定され、図３（ｃ）に示すように、印字装置３は、印字データに基づいてラベル４２に商品名と価格とを印字して発行する。
【００１２】
ＲＯＭ１１には、印字フォーマットに設定されている印字項目に対応する文字データの入力を受け付け、入力された文字データに基づく印字データを生成するための印字データ生成プログラムが記憶されており、ＣＰＵ１２は、印字データ生成プログラムに基づいて印字装置３に送信する印字データを生成するための各種処理を実行し、生成した印字データを外部Ｉ／Ｆ１７経由で印字装置３に送信する発行処理と、印字データを生成するために入力された文字データを登録データとしてデータ記憶部１６に記憶させる登録処理とのいずれかもしくは両方を実行する。
【００１３】
入力部１４は、印字データの生成、発行処理および登録処理に係る各種入力を受け付ける入力手段であり、図１を参照すると、４個のファンクションキー（Ｆ１キー〜Ｆ４キー）と、テンキーと、確定キーと、カーソル移動キーとを備えている。
【００１４】
表示部１５は、例えば液晶ディスプレイ等の表示手段であり、印字データの生成、発行処理および登録処理に係る各種案内画面を表示させる。
【００１５】
データ記憶部１６は、電源を切っても記憶内容か消去されない例えばＳＤカード等の不揮発性のフラッシュメモリであり、可変部分を含む印字フォーマットが予め記憶されていると共に、印字フォーマットの印字項目に対応して入力された文字データと、登録日時とが、登録データとして記憶される。
【００１６】
印字装置３は、図４を参照すると、外部Ｉ／Ｆ３１と、所定の制御プログラムと、フォントデータ、印字フォーマット等の印字に係る各種データとが記憶されているＲＯＭ３２と、ＲＯＭ３２に記憶されている制御プログラムに従って動作し、各部を制御するＣＰＵ３３と、ＣＰＵ３３が動作する上で必要となる各種データを記憶するＲＡＭ３４と、被印字媒体２に印字を施す印字機構３５と、印字機構３５を制御する印字制御部３６とを備えている。
【００１７】
ＣＰＵ３３は、外部Ｉ／Ｆ３１を介して入力装置１から印字データを受信すると、ＲＯＭ３２に記憶されている制御プログラムに基づいて、受信した印字データに含まれる文字コードに対応するフォントデータをＲＯＭ３２から読み出し、読み出したフォントデータおよび印字フォーマットに基づいて印字データをビットマップイメージデータとしてＲＡＭ３４の描画領域に展開させ、ＲＡＭ３４の描画領域に展開させたビットマップイメージデータの印字を印字制御部３６に指示する。
【００１８】
印字機構３５は、被印字媒体２に印字を施す印字手段であり、熱転写方式、感熱方式、インクジェット方式、インパクト方式、電子写真方式等の各種印字方式を採用することができる。
【００１９】
印字制御部３６は、ＣＰＵ３３からの指示に基づいて、印字機構３５を制御してＲＡＭ３４の描画領域に展開されているビットマップイメージデータを被印字媒体２に印字させる。
【００２０】
次に、本実施の形態における入力装置１の動作について図５乃至図７を参照して詳細に説明する。
図５は、本発明に係る入力装置の第１の実施の形態の動作を説明するためのフローチャートであり、図６および図７は、図１に示す表示部に表示される画面例を示す図である。
【００２１】
入力装置１の電源が投入されると、ＣＰＵ１２は、ＲＯＭ１１に記憶されている印字データ生成プログラムを起動させ、印字データ生成プログラムに基づき、初期画面を表示部１５に表示させる（ステップＡ１）。初期画面は、図６（ａ）に示すように、印字項目に対応する文字データの入力を行う「データ入力」と、データ記憶部１６に記憶されている印字データに基づく発行を行う「登録データ発行」とのいずれかを選択する画面であり、入力部１４のＦ１キーを押下することで「データ入力」が、入力部１４のＦ２キーを押下することで「登録データ発行」がそれぞれ選択される。
【００２２】
ＣＰＵ１２は、入力部１４のＦ１キーもしくはＦ２キーの押下を監視し（ステップＡ２）、Ｆ１キーが押下されると、データ入力画面を表示部１５に表示させる（ステップＡ３）。データ入力画面は、図６（ｂ）に示すように、印字項目である商品名入力欄５１および価格入力欄５２と、印字枚数を入力する印字枚数入力欄５３とが設けられた画面であり、ＣＰＵ１２は、入力部１４からの印字項目に対応する文字データおよび印字枚数の入力を受け付ける（ステップＡ４）。なお、印字項目に対応する文字データの入力は、例えば、仮想キーボードを表示部１５に表示させて行ったり、予め記憶させていた文字データを選択させたりすることができる。
【００２３】
図７（ａ）に示すように、入力部１４から全ての印字項目に対応する文字データと印字枚数との入力が行われると、ＣＰＵ１２は、データ入力画面に処理選択キー表示５４を行い（ステップＡ５）、入力部１４のＦ１キー、Ｆ２キーもしくはＦ３キーの押下を監視する（ステップＡ６）。処理選択キー表示５４は、印字データの処理の選択方法を示す表示であり、入力部１４のＦ１キーを押下することで「登録処理」が、入力部１４のＦ２キーを押下することで「発行処理」が、入力部１４のＦ３キーを押下することで「発行登録処理」がそれぞれ実行される。
【００２４】
ステップＡ６で入力部１４のＦ１キーが押下、すなわち「登録処理」が選択されると、ＣＰＵ１２は、ステップＡ４で印字項目に対応して入力された文字データと、登録日時とを登録データとしてデータ記憶部１６に記憶させる「登録処理」を実行し（ステップＡ７）、ステップＡ１に戻る。なお、ステップＡ４で入力された印字枚数も登録データとしてデータ記憶部１６に記憶させるようにしても良い。
【００２５】
ステップＡ６で入力部１４のＦ２キーが押下、すなわち「発行処理」が選択されると、ＣＰＵ１２は、印字フォーマットと、ステップＡ４で印字項目に対応して入力された文字データと、ステップＡ４で入力された印字枚数とからなる印字データを生成し、生成した印字データを印字装置３に送信することで、印字装置３によって、ステップＡ４で印字項目に対応して入力された文字データが印字フォーマットに基づいて印字されたラベル４２を、ステップＡ４で入力された印字枚数分発行させる「発行処理」を実行し（ステップＡ８）、ステップＡ１に戻る。なお、印字装置３に印字フォーマットが記憶されている場合には、ステップＡ４で印字項目に対応して入力された文字データと、ステップＡ４で入力された印字枚数とからなる印字データとからなる印字データを作成するようにしても良い。
【００２６】
ステップＡ６で入力部１４のＦ３キーが押下、すなわち「発行登録処理」が選択されると、ＣＰＵ１２は、ステップＡ８の「発行処理」と、「登録処理」とを並行もしくは連続して行う「発行登録処理」を実行し（ステップＡ９）、ステップＡ１に戻る。
【００２７】
ステップＡ２でＦ１キーが押下されると、ＣＰＵ１２は、登録データ発行画面を表示部１５に表示させる（ステップＡ１０）。登録データ発行画面は、図７（ｂ）に示すように、データ記憶部１６に記憶されている登録データの一覧を表示し、発行する登録データを選択する画面であり、印字枚数を入力することによって、発行する登録データが選択され（ステップＡ１１）、Ｆ２キーが押下、すなわち「発行処理」が指示されると、印字枚数が入力された登録データの「発行処理」が実行され（ステップＡ１２）、ステップＡ１に戻る。
【００２８】
なお、第１の実施の形態において、入力装置１と印字装置３とを別体とし、ケーブルで接続して用いるように構成したが、入力装置１と印字装置３と一体で構成しても良く、また、入力装置１と印字装置３とを無線で接続するようにしても良い。
【００２９】
以上説明したように第１の実施の形態によれば、文字データを記憶するデータ記憶部１６を備え、ＣＰＵ１２は、文字データの入力後に、入力された文字データを含む印字データを生成して印字装置３に送信する「発行処理」、入力された文字データをデータ記憶部１６に記憶させる「登録処理」、「発行処理」と「登録処理」とを並行もしくは連続して行う「発行登録処理」のいずれかの実行を指示する実行指示入力を受け付け、受け付けた実行指示入力に基づいて、「発行処理」、「登録処理」もしくは「発行登録処理」のいずれかを実行するように構成することにより、再利用の可能性のある文字データを入力し、すぐに発行させたい場合には、「発行登録処理」の実行を指示することにより、「発行処理」と「登録処理」とが並行もしくは連続して実行されるため、発行と登録とを一回の操作で行うことができ、作業効率を向上させることができるという効果を奏する。
【００３０】
（第２の実施の形態）
図８は、本発明に係る入力装置の第２の実施の形態の動作を説明するためのフローチャートであり、図９は、図１に示す表示部に表示される画面例を示す図である。
【００３１】
第２の実施の形態では、ステップＡ６で入力部１４のＦ３キーが押下、すなわち「発行登録処理」が選択された際の動作が第１の実施の形態と異なっている。図８を参照すると、ステップＡ６で入力部１４のＦ３キーが押下、すなわち「発行登録処理」が選択さると、ＣＰＵ１２は、ステップＡ４で入力された印字枚数が複数枚であっても、印字枚数を１枚とした印字データを生成し、生成した印字データを印字装置３に送信することで、印字装置３によって、ステップＡ４で印字項目に対応して入力された文字データが印字フォーマットに基づいて印字されたラベル４２を、１枚発行させる「試し発行処理」を実行すると共に（ステップＢ１）、発行確認画面を表示部１５に表示させる（ステップＢ２）。発行確認画面は、図９（ａ）に示すように、発行内容を確認して、正しい内容で発行されたか否かを選択するための画面であり、入力部１４のＦ１キーを押下することで「ＯＫ」が、入力部１４のＦ２キーを押下することで「ＮＧ」がそれぞれ選択され、ＣＰＵ１２は、入力部１４のＦ１キーもしくはＦ２キーの押下を監視する（ステップＢ３）。
【００３２】
正しい内容で発行され、ステップＢ３でＦ１キーが押下されると、ＣＰＵ１２は、残りの枚数、すなわちステップＡ４で入力された印字枚数をＮとすると、Ｎ−１枚を発行させる「残枚数発行処理」を実行すると共に（ステップＢ４）、「登録処理」を実行し（ステップＢ５）、ステップＡ１に戻る。なお、ステップＡ４で入力された印字枚数が１である場合には、「登録処理」のみが実行されることになる。
【００３３】
正しい内容で発行されず、Ｆ２キーが押下されると、ステップＡ３に戻り、ＣＰＵ１２は、データ入力画面を表示部１５に表示させ、印字項目に対応する文字データの再入力を受け付ける。
【００３４】
以上説明したように第２の実施の形態によれば、「発行登録処理」として、印字枚数を１枚とした印字データを生成して印字装置３に送信する「試し発行処理」を実行した後に、正しい内容で発行されたか否か選択する選択入力を受け付け、正しい内容で発行されたことを示す選択入力を受け付けた場合に、印字枚数を残り枚数とした印字データを生成して印字装置３に送信する「残発行処理」と、「登録処理」とを並行もしくは連続して実行するように構成することにより、誤った文字データに基づく発行を最小限に抑えることができると共に、発行された被印字媒体２を確認して上で、「登録処理」を行うことができるため、誤った文字データが登録されることを防止することができるという効果を奏する。
【００３５】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３６】
【図１】本発明に係る入力装置の第１の実施の形態の構成を示す斜視図である。
【図２】図１に示す入力装置の構成を示すブロック図である。
【図３】図１に示す被印字媒体例および印字フォーマット例を示す説明図である。
【図４】図１に示す印字装置の構成を示すブロック図である。
【図５】本発明に係る入力装置の第１の実施の形態の動作を説明するためのフローチャートである。
【図６】図１に示す表示部に表示される画面例を示す図である。
【図７】図１に示す表示部に表示される画面例を示す図である。
【図８】本発明に係る入力装置の第２の実施の形態の動作を説明するためのフローチャートである。
【図９】図１に示す表示部に表示される画面例を示す図である。
【符号の説明】
【００３７】
１  入力装置
２  被印字媒体
３  印字装置
１１  ＲＯＭ
１２  ＣＰＵ
１３  ＲＡＭ
１４  入力部
１５  表示部
１６  データ記憶部
１７  外部Ｉ／Ｆ
３１  外部Ｉ／Ｆ
３２  ＲＯＭ
３３  ＣＰＵ
３４  ＲＡＭ
３５  印字機構
３６  印字制御部
４１  台紙
４２  ラベル
５１  商品名入力欄
５２  価格入力欄
５３  印字枚数入力欄
５４  処理選択キー表示
【図１】
2009238026.tif 000003
【図２】
2009238026.tif 000004
【図３】
2009238026.tif 000005
【図４】
2009238026.tif 000006
【図５】
2009238026.tif 000007
【図６】
2009238026.tif 000008
【図７】
2009238026.tif 000009
【図８】
2009238026.tif 000010
【図９】
2009238026.tif 000011